(57)【要約】【課題】簡単にコストをかけずに電線の止水を行なえるようにすること。【解決手段】被覆電線Ｗを挟むようにキャップ１０Ａ、１０Ｂを合体させ、合体に伴ってキャップ１０Ａ、１０Ｂの内部に設けた切刃部１２Ａ、１２Ｂで被覆電線Ｗの絶縁被覆Ｗａの一部を裂いて中の芯線Ｗｂを露出させ、その状態で外部から直接加熱または超音波加熱を施すことでキャップ１０Ａ、１０Ｂ内のホットメルト１５を溶融させて、露出した芯線Ｗｂ間にホットメルト１５を浸透させて止水する。【選択図】図１
2009037849.tif 000002
【特許請求の範囲】
【請求項１】
被覆電線を挟むように合体させることで当該被覆電線の外周に装着される一対のキャップと、
前記一対のキャップの内面にそれぞれ一体に設けられ、前記一対のキャップを合体させるのに伴って前記被覆電線の絶縁被覆の一部を裂いて中の芯線を露出させる切刃部と、
前記キャップの内部に充填され、前記キャップの外部からの加熱により溶融して前記露出した前記芯線間に浸透するホットメルトと、
を具備することを特徴とする被覆電線用止水部材。
【請求項２】
被覆電線を挟むように合体させることで当該被覆電線の外周に装着される一対のキャップと、前記一対のキャップの内面にそれぞれ一体に設けられた切刃部と、前記キャップの内部に充填されたホットメルトと、を具備する被覆電線用止水部材を使用した被覆電線の止水方法であって、
前記被覆電線を挟むように前記一対のキャップを合体させ、この合体に伴って前記切刃部で前記被覆電線の絶縁被覆の一部を裂いて中の芯線を露出させ、その状態で前記キャップの外部から直接加熱または超音波加熱を施すことで当該キャップ内の前記ホットメルトを溶融させて、露出した前記芯線間に浸透させることを特徴とする被覆電線の止水方法。
【発明の詳細な説明】
【技術分野】
【０００１】
本発明は、キャップ状の被覆電線用止水部材および該被覆電線用止水部材を用いた被覆電線の止水方法に関する。
【背景技術】
【０００２】
従来、被覆電線の芯線間の隙間を止水する方法として、図２（ａ）および図２（ｂ）に示すように、樹脂チップ３１、３２で被覆電線Ｗを挟み込み、樹脂チップ３１、３２に外側から圧力を加えた状態でホーン４２とアンビル４１で超音波振動を印加することにより、図２（ｃ）に示すように、主に絶縁被覆Ｗａの樹脂を溶融させたものを芯線Ｗｂ間に浸透させて、芯線Ｗｂ間の隙間を封じる方法が知られている（例えば、特許文献１参照）。
【０００３】
また、図３（ａ）に示すように、被覆電線Ｗの一部に絶縁被覆Ｗａを剥いで芯線Ｗｂを露出させた部分を形成し、その芯線Ｗｂを露出させた部分を図３（ｂ）に示すように、液状の止水剤３５の中に浸漬させて、止水剤３５を芯線Ｗｂの隙間に浸透させ、その後、図３（ｃ）および図３（ｄ）に示すように、芯線Ｗｂの露出した部位に熱収縮チューブ３７を被せて熱収縮させることで、完成状態にする方法もある。
【０００４】
【特許文献１】特開２００４−１５８４３１号公報
【発明の開示】
【発明が解決しようとする課題】
【０００５】
ところが、図２（ａ）〜図２（ｃ）に示す方法は、ホーンとアンビル等といった大がかりな設備を必要とするため、コストがかかるという問題がある。また、図３（ａ）〜図３（ｄ）に示す方法は、絶縁被覆Ｗａを工具を用いて剥ぐ作業が必要な上、露出した芯線を液状の止水剤３５の中に浸漬する作業や、熱収縮チューブを装着して加熱収縮させる工程が必要であり、作業が面倒で、同じくコスト高になるという問題がある。
【０００６】
本発明は、上述した事情に鑑みてなされたものであり、その目的は、簡単にコストをかけずに被覆電線の止水を行なえる被覆電線用止水部材および該被覆電線用止水部材を用いた被覆電線の止水方法を提供することにある。
【課題を解決するための手段】
【０００７】
前述した目的を達成するために、本発明に係る被覆電線用止水部材は、被覆電線を挟むように合体させることで当該被覆電線の外周に装着される一対のキャップと、前記一対のキャップの内面にそれぞれ一体に設けられ、前記一対のキャップを合体させるのに伴って前記被覆電線の絶縁被覆の一部を裂いて中の芯線を露出させる切刃部と、前記キャップの内部に充填され、前記キャップの外部からの加熱により溶融して前記露出した前記芯線間に浸透するホットメルトと、を具備することを特徴としている。
また、前述した目的を達成するために、本発明に係る被覆電線の止水方法は、被覆電線を挟むように合体させることで当該被覆電線の外周に装着される一対のキャップと、前記一対のキャップの内面にそれぞれ一体に設けられた切刃部と、前記キャップの内部に充填されたホットメルトと、を具備する被覆電線用止水部材を使用した被覆電線の止水方法であって、前記被覆電線を挟むように前記一対のキャップを合体させ、この合体に伴って前記切刃部で前記被覆電線の絶縁被覆の一部を裂いて中の芯線を露出させ、その状態で前記キャップの外部から直接加熱または超音波加熱を施すことで当該キャップ内の前記ホットメルトを溶融させて、露出した前記芯線間に浸透させることを特徴としている。
【発明の効果】
【０００８】
本発明によれば、一対のキャップを電線を挟むように合体させ、その状態で外部から加熱するだけで簡単に芯線間を止水することができる。
つまり、キャップを合体させる際に、キャップの内部に設けた切刃部で被覆電線の絶縁被覆を裂いて芯線を露出させることができるので、皮むき工程（被覆電線を剥ぐ工程）を別に実施する必要がない上、キャップの内部に予めホットメルトを充填してあるので、芯線を露出させた部分を液状の止水剤に浸漬させる等の工程が不要である。
従って、止水作業を容易にコストをかけずに実施できる。
【０００９】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１０】
以下、本発明に係る好適な実施形態を図面に基づいて詳細に説明する。
【００１１】
図１（ａ）〜図１（ｃ）は、本発明に係る被覆電線用止水部材および該被覆電線用止水部材を用いた被覆電線の止水方法の工程を説明するための断面図である。
【００１２】
被覆電線用止水部材（以後、単に『止水部材』と記述する。）１０は、被覆電線Ｗを挟むように合体させることで被覆電線Ｗの外周に装着される一対の合成樹脂製のキャップ１０Ａ、１０Ｂと、各キャップ１０Ａ（１０Ｂ）の内面１１に、相手方キャップ１０Ｂ（１０Ａ）に向けて互いに平行となるよう斜めに一体に突設された切刃部１２Ａ、１２Ｂと、各キャップ１０Ａ、１０Ｂの内部空間に充填されたホットメルト１５と、を有している。つまり、キャップ１０Ａ、１０Ｂは同じ形状である。
【００１３】
切刃部１２Ａ、１２Ｂは、キャップ１０Ａ、１０Ｂを合体させるのに伴って被覆電線Ｗの絶縁被覆Ｗａの一部を引き裂いて中の芯線Ｗｂを露出させる働きをなすものである。また、ホットメルト１５は、キャップ１０Ａ、１０Ｂを合体させた状態で、キャップ１０Ａ、１０Ｂの外部から直接加熱または超音波加熱（即ち、超音波振動による加熱）を施されることで溶融し、切刃部１２Ａ、１２Ｂにより露出させられた芯線（即ち、複数本の芯線）Ｗｂの間の隙間に浸透して、芯線Ｗｂ間を封止するものである。
【００１４】
この場合の切刃部１２Ａ、１２Ｂの形状は、キャップ１０Ａ、１０Ｂの合体動作に伴って絶縁被覆Ｗａを引き裂ける形状であれば、どのような形状であってもよい。例えば、図１（ａ）〜図１（ｃ）に示された例では、キャップ１０Ａ、１０Ｂの合体動作に伴って、２枚の切刃部１２Ａ、１２Ｂが平行にすれ違うことにより、剪断刃のように、食いついた刃先により絶縁被覆Ｗａに引き裂き力を与えるようにしている。
【００１５】
この止水部材１０を用いて被覆電線Ｗの芯線Ｗｂ間を止水する場合は、まず図１（ａ）および図１（ｂ）に示すように、被覆電線Ｗを挟むように一対のキャップ１０Ａ、１０Ｂを合体させ、その合体の際の図１（ｂ）中の矢印Ａ方向の切刃部１２Ａ、１２Ｂの働きにより、図１（ｃ）に示すように、キャップ１０Ａ、１０Ｂの内部に設けた切刃部１２Ａ、１２Ｂで被覆電線Ｗの絶縁被覆Ｗａの一部を裂いて中の芯線Ｗｂを露出させる。次いで、この状態で外部から直接加熱または超音波加熱を施すことで、キャップ１０Ａ、１０Ｂ内のホットメルト１５を溶融させて、露出した芯線Ｗｂ間に浸透させる。
【００１６】
以上のように、一対のキャップ１０Ａ、１０Ｂを被覆電線Ｗを挟むように合体させ、その状態で外部から加熱するだけで簡単に芯線Ｗｂ間を止水することができる。つまり、キャップ１０Ａ、１０Ｂを合体させる際に、キャップ１０Ａ、１０Ｂの内部に設けた切刃部１２Ａ、１２Ｂで被覆電線Ｗの絶縁被覆Ｗａを裂いて芯線Ｗｂを露出させることができるので、皮むき工程を別に実施する必要がない上、キャップ１０Ａ、１０Ｂの内部に予めホットメルト１５を充填してあるので、芯線Ｗｂを露出させた部分を液状の止水剤に浸漬させる等の工程が不要である。また、ホーンとアンビル等といった大がかりな設備も不要である。従って、止水作業を容易にコストをかけずに実施できる。
【００１７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００１８】
【図１】（ａ）〜（ｃ）は本発明に係る止水部材および該止水部材を用いた被覆電線の止水方法の工程を説明するための断面図である。
【図２】（ａ）〜（ｃ）は従来の止水方法の工程を説明するための図である。
【図３】（ａ）〜（ｄ）は従来の別の止水方法の工程を説明するための図である。
【符号の説明】
【００１９】
１０：止水部材
１０Ａ，１０Ｂ：キャップ
１２Ａ，１２Ｂ：切刃部
１５：ホットメルト
Ｗ：被覆電線
Ｗａ：絶縁被覆
Ｗｂ：芯線
【図１】
2009037849.tif 000003
【図２】
2009037849.tif 000004
【図３】
2009037849.tif 000005